(57)【要約】【課題】複数チャンネルとしたコードレスイヤホン用の電磁誘導型送信コイルを提供すること。【解決手段】複数の一次コイル２４Ｐと１つの二次コイルＳとを鉄心２４Ｈに巻線したトロイダルコイル２４を備え、一次コイル２４Ｐの各々には携帯通信機から別種類の音声信号の各々を入力させ、二次コイル２４Ｓに接続した送信アンテナ２１から複数チャンネルの電磁波信号を発信させる構成とし、その電磁波信号を受信するコードレスイヤホンによって複数チャンネルの音声を同時に聞くことができるようになっている。【選択図】図２
2009044298.tif 000002
【特許請求の範囲】
【請求項１】
携帯通信機の出力信号を入力する一次コイルと、送信アンテナに連結させる二次コイルとを有し、電磁波信号を前記送信アンテナからコードレスイヤホンに送って音声出力させるための電磁誘導型送信コイルにおいて、
複数の一次コイルを設け、携帯通信機からの別種類の出力信号を一次コイル各々に入力させ、１つの送信コイルから多重音声の電磁波信号を送信させることが可能な構成としたことを特徴とする電磁誘導型送信コイル。
【請求項２】
複数の一次コイルと１つの二次コイルとを鉄心に巻いたトロイダルコイルからなることを特徴とする請求項１に記載した電磁誘導型送信コイル。
【請求項３】
前記送信アンテナとしてループ状のアンテナを備えたことを特徴とする請求項１に記載した電磁誘導型送信コイル。
【発明の詳細な説明】
【技術分野】
【０００１】
本発明は、携帯通信機とコードレスイヤホンとを電磁波信号で連結するための電磁誘導型送信コイルに関する。
【背景技術】
【０００２】
イヤホンの無線化には、赤外線方式、電気無線方式、電磁誘導方式などが広く知られているが、通信機やイヤホンの小型化には電磁誘導方式が最も適している。
電磁誘導方式は、通信機の出力信号を電磁波信号に変換し、この電磁波信号をイヤホンに向けて送信する。
イヤホンは、前記電磁波信号を受信する受信アンテナと信号処理回路を備え、受信した電磁波信号を電気信号に変換し、増幅して音声に変換して出力する。
したがって、このような電磁誘導方式を採用する通信機には、コードレスイヤホンの他に、イヤホン端子に接続して電磁波信号を送信させる電磁誘導型送信コイルが備えられている。
【０００３】
コードレスイヤホンが利用できる通信機としては、携帯電話機、携帯テレビ、携帯ラジオなどの他、警察関係や身辺警護など特殊な職業人が使用する携帯通信機がある。
図８は、この種の携帯通信機１１の使用状態を示す。
図示するように、携帯通信機１１は衣服のポケットなどに入れて携帯し、また、コードレスイヤホン１２は耳に装着する。
さらに、コード１３によって携帯通信機１１のイヤホン端子に接続した電磁誘導型送信コイル１４は、ループ状の送信アンテナ１５を首に掛けることによって吊り下げられる。
【０００４】
図９は上記した電磁誘導型送信コイル１４の電気回路を示す。
図示するように、この電磁誘導型送信コイル１４は、一次コイル１４Ｐと二次コイル１４Ｓとを鉄心（フエライトコア）１４Ｈに巻き付けて構成したインピーダンス整合用のトランス構造となっている。
そして、一次コイル１４Ｐは携帯通信機１１に接続し、二次コイル１４Ｓは送信アンテナ１５に接続する。
【０００５】
上記した携帯通信機１１は、イヤホン端子から出力された出力信号が電磁誘導型送信コイル１４によって電磁波信号に変換され、この電磁波信号が送信アンテナ１５より送信される。
したがって、その電磁波信号がコードレスイヤホン１２によって受信され音声出力される。
【０００６】
【特許文献１】特開２００６−５００５８号公報
【発明の開示】
【発明が解決しようとする課題】
【０００７】
上記したところの携帯通信機１１、コードレスイヤホン１２、電磁誘導型送信コイル１４からなる受信システムは、電磁誘導型送信コイル１４が一回路構成であるために、コードレスイヤホン１２では携帯通信機１１からの一通りの通信音声しか聞くことができない。
しかし、警察官や警備員などが使用する携帯通信機としては、通信音声の聴覚中に、装着している同じイヤホンを使ってその他の通信音声を聞くことができれば、緊急対策の通信などに極めて便利なものとなる。
【０００８】
そこで、本発明では、装着している１つのコードレスイヤホンを使って複数チャンネルの通信音声を同時に聞くことができるようにした携帯通信機用の電磁誘導型送信コイルを提供することを目的とする。
【課題を解決するための手段】
【０００９】
上記した目的を達成するため、本発明では、携帯通信機の出力信号を入力する一次コイルと、送信アンテナに連結させる二次コイルとを有し、電磁波信号を前記送信アンテナからコードレスイヤホンに送って音声出力させるための電磁誘導型送信コイルにおいて、複数の一次コイルを設け、携帯通信機からの別種類の出力信号を一次コイル各々に入力させ、１つの送信コイルから多重音声の電磁波信号を送信させる構成としたことを特徴とする電磁誘導型送信コイルを提案する。
【００１０】
また、上記した電磁誘導型送信コイルは、複数の一次コイルと１つの二次コイルとを、１つの鉄心に巻いたトロイダルコイルとして構成することができる。
【００１１】
なお、上記した電磁誘導型送信コイルは、送信アンテナとしては首に掛けるループ状のアンテナを備えることができる。
【発明の効果】
【００１２】
本発明の電磁誘導型送信コイルは、複数の一次コイルを備えていることから、一次コイル各々に異なった音声信号を入力させることが可能である。
この結果、複数チャネルの音声信号を電磁波信号に変換し、コードレスイヤホンに多重送信することができ、したがって、１つのコードレスイヤホンによって二種類以上の音声を重合して同時に聞くことができる。
【発明を実施するための最良の形態】
【００１３】
次に、本発明の実施形態について図面に沿って説明する。
図１は電磁誘導型送信コイルの全体を示した図で、図示するように、本実施形態では、送信アンタナ２１が送信コイル本体２０に一体的に取付けられている。
また、この送信コイル本体２０には、図示するように、携帯通信機に接続するための３つの差し込みプラグ２２ａ、２２ｂ、２２ｃが差し込み接続される。
【００１４】
送信コイル本体２０は、図２、図３、図４に示すように、ケース２３内にトロイダルコイル２４とプリント基板２５を設けて蓋２６を被着した構成としてある。
トロイダルコイル２４は、フエライトコアで形成した円形の鉄心２４Ｈに３つの一次コイル（入力コイル）２４Ｐと１つの二次コイル（出力コイル）２４Ｓを巻線して３回線のトランスとして形成してある。
そして、３つの一次コイル２４Ｐは、各々の入力インピーダンスに整合させるように巻線してあり、二次コイル２４Ｓは送信アンテナ２１に整合させた巻線としてある。
なお、図２は蓋２６を取り外して送信コイル本体２０の内部構成を示した図、図３は図２上のＡ−Ａ線断面図、図４は差し込みプラグの差し込み側を示した送信コイル本体２０の側面図である。
【００１５】
そして、第１の一次コイル２４Ｐ―１の巻始端と巻終端はプリント基板２５に固着したコイルばね２７ａ、２７ｂに接続し、同様に、第２の一次コイル２４Ｐ―２の巻始端と巻終端はプリント基板２５に固着したコイルばね２８ａ、２８ｂに接続し、第３の一次コイル２４Ｐ―３の巻始端と巻終端はプリント基板２５に固着したコイルばね２９ａ、２９ｂに接続してある。
なお、これらのコイルばね２７ａ、２７ｂ、２８ａ、２８ｂ、２９ａ、２９ｂは、携帯通信機に接続されたコードの差し込みプラグ２２ａ、２２ｂ、２２ｃを電気接続するジャックを構成している。
【００１６】
また、二次コイル２４Ｓの巻始端には送信アンテナ２１の一端部２１ａが、その巻終端には送信アンタナ２１の他端部２１ｂが各々接続してある。
送信アンテナ２１は、ケース２３を貫通させて送信コイル本体２０の外方に延設してあるが、結束バンド３０ａ、３０ｂを設けてこの送信アンテナ２１の抜け止めが計ってある。
【００１７】
プリント基板２５に固着したコイルばね２７ａ、２７ｂ〜２９ａ、２９ｂは、既に述べたように、差し込みプラグ２２ａ〜２２ｃを接続するジャックを形成している。
具体的には、図５に示すように、ケース２３に設けた差込孔３１から挿入した差し込みプラグ２２ａをコイルばね２７ａ、２７ｂによって弾性的に挟持して電気接続する。
差込孔３１から挿入した差し込みプラグ２２ｂ、２２ｃについては図示してないが、コイルばね２８ａ、２８ｂと２９ａ、２９ｂによって挟持して同様に電気接続する。
【００１８】
なお、差し込みプラグ２２ａ、２２ｂ、２２ｃは、携帯通信機のイヤホン端子に接続されたコード３２の先端に取付けてあり、各々の携帯通信機から出力される音声信号を送信コイル本体２０に送る。
【００１９】
一方、送信コイル本体２０から延設させた送信アンテナ２１は、図１に示すように、首に掛けることができるようにループ状としてあるが、この送信アンテナ２１には分離自在とした連結具３３が設けてある。
この連結具３３は、図６に示す如く、金属材料からなるバナナプラグ３３ａとバナナプラグ受け３３ｂとから構成してあり、各々のプラグ３３ａ、３３ｂにはアンテナ端部２１ｃ、２１ｄを半田付けなどによって固着してある。
【００２０】
したがって、バナナプラグ３３ａとバナナプラグ受け３３ｂとを分離させた状態で送信アンテナ２１を首にかけ、その後、これらプラグ３３ａをプラグ受け３３ｂに差し込んで連結させれば、送信コイル本体２０を首に掛けて携帯することができる。
【００２１】
図７は上記のように構成した電磁誘導型送信コイルの電気回路を示す。
図示する如く、送信コイル本体２０が３回路構成となっているので、携帯通信機Ａの音声信号を第１の一次コイル２４Ｐ―１に入力させ、携帯通信機Ｂの音声信号を第２の一次コイル２４Ｐ―２に入力させ、携帯通信機Ｃの音声信号を第３の一次コイル２４Ｐ―３に入力させるように、携帯通信機と電磁誘導型送信コイルとを接続すれば、送信アンテナ２１が３チャンネルの電磁波信号を送信し、この電磁波信号を受信するコードレスイヤホン１２によって３種類の別々の音声を同時に聞くことができる。
【００２２】
上記のように使用する３つの携帯通信機としては、例えば、携帯通信機Ａが携帯電話機、携帯通信機Ｂが業務用の通信機、携帯通信機Ｃがラジオなどである。
【００２３】
ただし、この電磁誘導型送信コイルは、必ずしも３回路として使用する必要がなく、第１、第２、第３の一次コイルの１つ或いは二つのコイルに音声信号を入力させ、１チャンネルまたは２チャンネルの音声を聞くようにして使用することもできる。
【００２４】
以上、好ましい実施形態として３回線構成の電磁誘導型送信コイルについて説明したが、回線数については必要に応じて任意に変えることができ、送信アンテナ２１については必ずしもループ状にしなくてもよい。
【産業上の利用可能性】
【００２５】
コードレスイヤホンを備える携帯電話、携帯テレビ、携帯ラジオ、警察官や警備員などが使用する通信機などの携帯通信機に適用することができる。
【図面の簡単な説明】
【００２６】
【図１】送信コイル本体と送信アンテナからなる電磁誘導型送信コイルの一実施形態を示した図である。
【図２】蓋を取り外して送信コイル本体の内部構造を示した図である。
【図３】図２上のＡ−Ａ線断面図である。
【図４】差し込みプラグの挿入側を示した送信コイル本体の側面図である。
【図５】（Ａ）図は差し込みプラグを挿入したときのケース内部を示す拡大部分図、（Ｂ）図は（Ａ）図同様の拡大部分断面図である。
【図６】送信アンテナの連結具を構成するバナナプラグとバナナプラグ受けを示した一部切り欠き拡大部分図である。
【図７】一実施形態として示した電磁誘導型送信コイルの電気回路図である。
【図８】従来の電磁誘導型送信コイルの使用状態を示す図である。
【図９】従来の電磁誘導型送信コイルの電気回路図である。
【符号の説明】
【００２７】
１２  コードレスイヤホン
２０  送信コイル本体
２１  送信アンテナ
２２ａ、２２ｂ、２２ｃ  差し込みプラグ
２４  トロイダルコイル
２４Ｐ  一次コイル
２４Ｓ 二次コイル
２５  プリント基板
２７ａ、２７ｂ、２８ａ、２８ｂ、２９ａ、２９ｂ  コイルばね
【図１】
2009044298.tif 000003
【図２】
2009044298.tif 000004
【図３】
2009044298.tif 000005
【図４】
2009044298.tif 000006
【図５】
2009044298.tif 000007
【図６】
2009044298.tif 000008
【図７】
2009044298.tif 000009
【図８】
2009044298.tif 000010
【図９】
2009044298.tif 000011